(57)【要約】【課題】装置の大型化やコストの増大を抑制しつつ、殺菌対象物に対して周囲より均一に紫外線を照射することができるとともに、凹部や孔などの隙間の内部をも殺菌することができる装置を提供する。【解決手段】本発明の殺菌装置１０は、開閉可能な蓋部１１ａを備える筐体１１と、該筐体の内部に設けられ、前記蓋部の開放によって外部に連通するように構成され、殺菌対象物を収容するための収容空間１１ｓと、該収容空間を挟んで相互に対面する一方の内面部と他方の内面部にそれぞれ光出射面部を配置してなる導光体１３１と、該導光体の前記光出射面部と異なる方位に向いた入射面部に向けて紫外線を放出し、紫外線を前記導光体の内部に入射させる紫外線光源２３３ａと、を具備する。【選択図】  図３
2020014498.tif 000002
【特許請求の範囲】
【請求項１】
開閉可能な蓋部を備える筐体と、
該筐体の内部に設けられ、前記蓋部の開放によって外部に連通するように構成され、殺菌対象物を収容するための収容空間と、
該収容空間を挟んで相互に対面する一方の内面部と他方の内面部にそれぞれ光出射面部を配置してなる導光体と、
該導光体の前記光出射面部と異なる方位に向いた入射面部に向けて紫外線を放出し、紫外線を前記導光体の内部に入射させる紫外線光源と、
を具備する殺菌装置。
【請求項２】
前記導光体は、紫外線に対する正透過性を呈する媒質からなる、
請求項１に記載の殺菌装置。
【請求項３】
前記導光体の前記光出射面部の少なくとも一部の表面上には、紫外線に対する拡散透過性を呈する拡散シートが配置される、
請求項２に記載の殺菌装置。
【請求項４】
前記拡散シートはフッ素樹脂からなる、
請求項３に記載の殺菌装置。
【請求項５】
前記フッ素樹脂シートは、前記導光体の表面上に着脱可能に取り付けられる、
請求項３又は４に記載の殺菌装置。
【請求項６】
前記一方の内面部に配置された一方の光出射面部を備える一方の前記導光体と、前記他方の内面部に配置された他方の光出射面部を備える他方の前記導光体とを具備し、
前記収容空間の周囲には、前記一方の光出射面部と前記他方の光出射面部の対面方向に沿った軸線の周りを包囲する形状の紫外線反射面を備える反射内面部をさらに具備する、
請求項１〜５のいずれか一項に記載の殺菌装置。
【請求項７】
前記導光体は、前記一方の内面部と前記他方の内面部にそれぞれ配置される前記一方と他方の光出射面部を一体に構成する筒状光出射内面部を有し、
前記収容空間の周囲には、前記筒状光出射内面部の軸線方向の両側にそれぞれ配置された紫外線反射面を備える反射内面部をさらに具備する、
請求項１〜５のいずれか一項に記載の殺菌装置。
【請求項８】
操作がなされることにより前記紫外線光源を点灯可能状態と消灯状態に切り替えるための操作部と、前記蓋体の開閉状態を検出する開閉検出手段と、前記操作部に対する操作により前記紫外線光源の点灯可能状態にあるときに、前記蓋体の閉鎖時には前記紫外線光源を点灯させ、前記蓋体の開放時には前記紫外線光源を消灯する制御部と、をさらに具備する、
請求項１〜７のいずれか一項に記載の殺菌装置。
【請求項９】
前記導光体の前記入射面部に向けて可視光を放出し、可視光を前記導光体に入射する可視光源をさらに具備し、
前記制御部は、前記操作部に対する操作により前記紫外線光源の点灯可能状態にあるときに、前記蓋体の開放時には前記可視光源を点灯させる、
請求項８に記載の殺菌装置。
【発明の詳細な説明】
【技術分野】
【０００１】
本発明は殺菌装置に係り、特に、紫外線を利用して物品の殺菌を行うための装置に関する。
【背景技術】
【０００２】
従来から、紫外線の照射により、各種の物品や空気或いは水などを対象物として殺菌する装置が製造されている。紫外線は、水銀灯などの紫外線ランプやＬＥＤなどの発光素子から放出され、上述の殺菌を行う対象物に照射される（例えば、以下の特許文献１及び２を参照）。
【先行技術文献】
【特許文献】
【０００３】
【特許文献１】特開２０１６−１９３０４５号公報
【特許文献２】特開２０１６−１９３０５９号公報
【発明の概要】
【発明が解決しようとする課題】
【０００４】
このような装置において、空気や水などの流動性を有する対象物に対しては均一に殺菌することができるが、医療器具や歯科器具などの固体物を対象物として殺菌する場合には、影ができるなどの理由により紫外線を均一に照射することが困難であるという問題があった。
【０００５】
上記のような固体物を均一に殺菌するためには、紫外線ランプなどの光源を周囲に配置して影が生じないようにする必要があるために、装置全体が大型化し、製造コストも増大するという問題があった。
【０００６】
また、光源を周囲に配置したとしても、対象物自体が凹凸や細孔などの隙間を有する構造を備えていたりする場合には、凹部や孔などの隙間の内部を確実に殺菌することが難しいという問題が依然として残ることになる。
【０００７】
本発明は、上記問題を解決するものであり、その課題は、装置の大型化やコストの増大を抑制しつつ、殺菌対象物に対して周囲より均一に紫外線を照射することができるとともに、凹部や孔などの隙間の内部をも殺菌することができる装置を提供することにある。
【課題を解決するための手段】
【０００８】
上記課題を解決するために、本発明の殺菌装置は、開閉可能な蓋部を備える筐体と、該筐体の内部に設けられ、前記蓋部の開放によって外部に連通するように構成され、殺菌対象物を収容するための収容空間と、該収容空間を挟んで相互に対面する一方の内面部と他方の内面部にそれぞれ光出射面部を配置してなる導光体と、該導光体の前記光出射面部と異なる方位に向いた入射面部に向けて紫外線を放出し、紫外線を前記導光体の内部に入射させる紫外線光源と、を具備する。ここで、前記導光体は、紫外線に対する正透過性を呈する媒質からなることが好ましい。
【０００９】
本発明において、前記一方の内面部に配置された一方の光出射面部を備える一方の前記導光体と、前記他方の内面部に配置された他方の光出射面部を備える他方の前記導光体とを具備し、
前記収容空間の周囲には、前記一方の光出射面部と前記他方の光出射面部の対面方向に沿った軸線の周りを包囲する形状の紫外線反射面を備える反射内面部をさらに具備することが好ましい。ここで、前記反射内面部は、紫外線を正反射する表面と拡散反射する表面のいずれであってもよい。
【００１０】
本発明において、前記導光体は、前記一方の内面部と前記他方の内面部にそれぞれ配置される前記一方と他方の光出射面部を一体に構成する筒状光出射内面部を有し、
前記収容空間の周囲には、前記筒状光出射内面部の軸線方向の両側にそれぞれ配置された紫外線反射面を備える反射内面部をさらに具備することが好ましい。ここで、前記反射内面部は、紫外線を正反射する表面と拡散反射する表面のいずれであってもよい。
【００１１】
本発明において、前記導光体の前記光出射面部の少なくとも一部の表面上には、紫外線に対する拡散透過性を呈する拡散シートが配置されることが好ましい。この場合に、拡散シートは、フッ素樹脂からなることが望ましい。また、前記拡散シートは前記光出射面部の全体を覆うことが望ましい。さらに、前記拡散シートは、前記導光体の表面上に着脱可能に取り付けられることが望ましい。
【００１２】
本発明において、操作がなされることにより前記紫外線光源を点灯可能状態と消灯状態に切り替えるための操作部と、前記蓋体の開閉状態を検出する開閉検出手段と、前記操作部に対する操作により前記紫外線光源の点灯可能状態にあるときに、前記蓋体の閉鎖時には前記紫外線光源を点灯させ、前記蓋体の開放時には前記紫外線光源を消灯する制御部と、をさらに具備することが好ましい。この場合において、前記導光体の前記入射面部に向けて可視光を放出し、可視光を前記導光体に入射する可視光源をさらに具備し、前記制御部は、前記操作部に対する操作により前記紫外線光源の点灯可能状態にあるときに、前記蓋体の開放時には前記可視光源を点灯させることが望ましい。なお、前記制御部は、前記操作部に対する操作により前記紫外線光源の点灯可能状態にあるときに、前記蓋体の閉鎖時には前記可視光源を消灯させることがさらに望ましい。
【発明の効果】
【００１３】
この発明によれば、装置の大型化やコストの増大を抑制しつつ、周囲より均一に紫外線を照射することができるとともに、凹部や孔などの隙間の内部をも殺菌することができる。
【図面の簡単な説明】
【００１４】
【図１】第１実施形態の殺菌装置の外観を示す斜視図である。
【図２】第１実施形態の殺菌装置の内部に殺菌対象物を収容した状態を示す斜視図である。
【図３】第１実施形態の殺菌装置の分解斜視図である。
【図４】第１実施形態の導光ユニットの内部構造を示す分解斜視図である。
【図５】第２実施形態の導光ユニットの内部構造を示す分解斜視図である。
【図６】第２実施形態の拡散シートと、その取付枠を示す斜視図である。
【図７】第３実施形態の導光ユニットの内部構造を示す分解斜視図である。
【図８】第４実施形態の殺菌装置の斜視図である。
【図９】第４実施形態の殺菌装置の分解斜視図である。
【図１０】第４実施形態の縦断面図である。
【発明を実施するための形態】
【００１５】
次に、添付図面を参照して本発明の実施形態について詳細に説明する。最初に、図１乃至図４を参照して、本発明に係る殺菌装置の第１実施形態について説明する。
【００１６】
第１実施形態の殺菌装置１０は、筐体１１を有する。筐体１１は、上部が開閉可能に構成された蓋部１１ａを構成し、下部が本体部１１ｂを構成する。図示例では、蓋部１１ａと本体部１１ｂは同一の平面形状を備えている。蓋部１１ａと本体部１１ｂの一方の端部にはヒンジ部１１ｃが設けられ、このヒンジ部１１ｃにより蓋部１１ａが本体部１１ｂに対して回動可能に取り付けられている。
【００１７】
操作部１２は、図示例では蓋部１１ａの手前部分に取り付けられている。ただし、操作部１２の位置は特に限定されず、例えば、本体部１１ｂの前面であってもよい。操作部１２は、押釦式スイッチ等により構成される操作ボタン１２ａと、この操作ボタン１２ａの操作により設定された状態を示すＬＥＤなどからなる表示灯１２ｂとを有する。内部に構成された制御部により、操作ボタン１２ａを一回押圧すると、オフ状態からオン状態へ移行し、表示灯１２ｂが点灯する。操作ボタン１２ａをさらにもう一回押圧すると、オン状態からオフ状態へと戻り、表示灯１２ｂは消灯する。ここで、オフ状態とは、後述する紫外線光源を消灯した状態であり、オン状態とは、紫外線光源を点灯可能にした状態である。
【００１８】
図２に示すように、筐体１１の内部には、蓋部１１ａの開放により外部に連通する収容空間１１ｓが設けられる。図示例では、収容空間１１ｓは隅丸直方体状に構成される。収容空間１１ｓは、図示例の場合、蓋部１１ａの内部に凹状に構成される上側空間部１１ｓａと、本体部１１ｂの内部に凹状に構成される下側空間部１１ｓｂとから構成される。
【００１９】
上記上側空間部１１ｓａは、図示例では隅丸長方形状の平坦な上側内面部１１ｉａと、この周囲を取り巻くように構成された上側内側面部１１ｉｃとを備える凹部によって画成される。また、上記下側空間部１１ｓｂは、図示例では隅丸長方形状の平坦な下側内面部１１ｉｂと、この周囲を取り巻くように構成された下側内側面部１１ｉｄとを備える凹部によって画成される。上記収容空間１１ｓは、蓋部１１ａを閉鎖し、上下の各凹部の上側開口縁部１１ｉｅと下側開口縁部１１ｉｆを相互に当接させることにより、一体に形成されるとともに密閉されて、外部と隔絶される。
【００２０】
図３は、本実施形態の分解斜視図である。蓋部１１ａ内には、上記操作部１２を構成する操作ボタン１２ａ及び表示灯１２ｂと、これらを実装する操作部の回路基板１２ｃとが内蔵される。また、蓋部１１ａの内部には、導光ユニット１３Ａと、導光ユニット１３Ａを内側（図示下方）から保持する、枠状に構成された被覆部材１４Ａとが配置される。一方、本体部１１ｂの内部には、装置全体の制御を行う制御部を構成する主回路基板１５と、上記と同様の導光ユニット１３Ｂと、この導光ユニット１３Ｂを内側（図示上方）から保持する、枠状に構成された被覆部材１４Ｂとが配置される。被覆部材１４Ｂには、マイクロスイッチなどからなる開閉検出器１６が取り付けられる。この開閉検出器１６は、上記下側開口縁部１１ｉｆに開口した検出口１１ｉｏを通して、上記上側開口縁部１１ｉｅに設けられた突起状の被検出部１１ｉｐを検出することにより、蓋部１１ａが本体部１１ｂに対して閉鎖されたことを検出できるように構成される。この開閉検出器１６は、筐体１１において、本体部１１ｂに対する蓋部１１ａの開閉状態を検出する手段を構成する。
【００２１】
図４は、上記導光ユニット１３Ａ，１３Ｂの内部構造を示す分解斜視図である。ここで、導光ユニット１３Ａと１３Ｂは基本的に同一の構造を備えているので、図４を用いた説明においては、導光ユニット１３Ａについて説明し、導光ユニット１３Ｂについては同様に構成されているものとして、その説明は省略する。導光ユニット１３Ａは、図示例では板状の導光体１３１を備える。導光体１３１は、図示例では直方体形状を有し、この導光体１３１の入出射面部となる第１の端面１３１ａ、これと対向する第２の端面１３１ｂ、第１及び第２の端面の間にある第３及び第４の端面１３１ｃ、最も大きな面積を備える相互に対向する一対の主面のうち、背面側に設けられる一方の主面１３１ｄ、及び、光出射面部となる他方の主面１３１ｅを有する。主面１３１ｄの背後には反射シート１３２が配置される。これらの導光体１３１及び反射シート１３２は紫外線の発光素子（ＬＥＤ）１３３ａを実装した光源基板１３３とともに、ユニット枠１３４に取り付けられる。
【００２２】
発光素子１３３ａは、近紫外線と呼ばれる２００〜３８０ｎｍ又は遠紫外線と呼ばれる１０〜２００ｎｍの波長領域の紫外線を放出可能なものであればよい。ここで、発光素子１３３ａは、深紫外線（Ｄ−ＵＶ）と呼ばれる３００ｎｍ以下の波長を有する紫外線が望ましい。特に、１００〜３００ｎｍの波長域の紫外線を主として放出するものは、殺菌性が高いために好ましい。例えば、２００〜２８０ｎｍの波長域の光は殺菌性が高く、とりわけ、２４０〜２８０ｎｍの波長域がＤＮＡの吸収率も高いために有効であるとされる。
【００２３】
導光体１３１は、発光素子１３３ａから放出された紫外線を光入射面部（第１の端面１３１ａ）から内部へ取り込み、主面１３１ｄ、１３１ｅに沿って伝搬させる。光入射面部から直接内部に入射した上記紫外線は、基本的に上記主面１３１ｄ、１３１ｅに対しては全反射し、その結果、導光体１３１の内部に閉じ込められる。ただし、上記紫外線のうちの一部は、上記主面１３１ｄ、１３１ｅやいずれかの端面１３１ａ〜１３１ｃにて散乱される結果、全反射条件が崩れることにより、主面１３１ｄ、１３１ｅから出射する。これらの出射光のうち、主面１３１ｄから出射した光は、反射シート１３２によって反射されて再び導光体１３１の内部に戻る。また、各端面１３１ａ〜１３１ｃから出射した光は、ユニット枠１３４の内側面（反射面として構成される）により反射され、再び導光体１３１の内部に戻る。全体としては、上記主面１３１ｄ、１３１ｅに沿って伝搬する紫外線の一部が、その伝搬方向に進行しつつ光出射面部である主面１３１ｅから徐々に出射することにより、紫外線は主面１３１ｅの全体にわたりほぼ均一な強度分布で出射する。
【００２４】
主面１３１ｄ、１３１ｅや各端面１３１ａ〜１３１ｃには、紫外線を散乱させるための微細な表面凹凸構造、ドットパターンなどに形成される印刷層などを形成することにより、紫外線の光出射分布を制御することができる。また、導光体１３１の内部に紫外線を散乱させるための光散乱性粒子を分散させてもよい。例えば、発光素子１３３ａの光放出部が対面する入射面部である第１の端面１３１ａの近傍では、光出射面部である主面１３３ｅから出射される光量は、発光素子１３３ａに隣接する部位では高く、発光素子１３３ａの間隙位置に隣接する部位では低くなるため、第１の端面１３１ａに沿った方向に強弱を繰り返す光量分布が形成される。このため、発光素子１３３ａの間隙位置に隣接する部位の主面１３３ｅ若しくは１３３ｄに紫外線を散乱させるためのドットパターンを形成したり、当該部位の内部に光散乱性粒子を分散させたりすることが好ましい。
【００２５】
導光体１３１は、殺菌作業の高い波長域の紫外線を高い透過率で透過させることのできる素材で構成されることが好ましい。このような素材としては、石英ガラス、サファイア、フリントガラス、ホウケイ酸ガラス、ポリエステル樹脂、フッ素樹脂などが挙げられる。特に、面状光源を構成するための導光体１３１の素材としては、石英ガラス、サファイアなどのように、紫外線透過率が広い紫外線波長領域にわたり高く、しかも、光拡散性の低いものが望ましい。特に、導光材料としては、石英ガラス、サファイアなどのように、紫外線に対して正透過性を呈する媒質、すなわち、紫外線に対する拡散性や散乱性の低いものが望ましい。
【００２６】
反射シート１３２やユニット枠１３４の内側面は、殺菌作用の高い波長域の紫外線を高い反射率で反射することのできる素材で構成されることが好ましい。このような素材としては、アルミニウム、アルミニウム合金、ステンレス鋼、大理石、花崗岩、石膏、ＡＣＬパネル、酸化チタン、酸化亜鉛、酸化セリウム、カオリン、タルク、アクリル系樹脂などが挙げられる。この場合、反射特性に関しては、紫外線に対して正反射性を呈する反射表面であっても、拡散性、散乱性を呈する反射表面であっても構わない。結果として、高い反射率で上記の紫外線を反射し、導光体１３１の光出射面部から出射される紫外線強度を高めることができればよい。ただし、ユニット枠１３４の内側面は、導光体１３１の光出射面部１３１ｅの光出射分布を均一化するために、アルミニウムやアルミニウム合金などの正反射性を呈する反射面で構成されることが好ましい。
【００２７】
上記被覆部材１４Ａ，１４Ｂは、上記の上側内側面部１１ｉｃ，下側内側面部１１ｉｄを構成する内面部分が殺菌作業の高い波長域の紫外線を高い反射率で反射することのできる素材で構成されることが好ましい。当該素材の例や反射特性に関しては前述の反射シート１３２と同様である。この内面部分は、上記の上側内面部１１ｉａ及び下側内面部１１ｉｂを取り巻くように形成されている。すなわち、上側内面部１１ｉａと下側内面部１１ｉｂの対向する方向に沿った軸線（図示垂直線）を考えた場合、上記内面部分は、当該軸線の周りを包囲するように形成される。この場合、上記の内面部分に隣接する、上記の上側開口縁部１１ｉｅ及び下側開口縁部１１ｉｆの表面も上記と同様の素材で構成されることが望ましい。
【００２８】
以上のように構成された殺菌装置１０において、上記制御部は、上記操作部１２、開閉検出器１６、及び、発光素子１３３ａに接続される。そして、操作ボタン１２ａを押圧すると、表示灯１２ｂを点灯させるとともに、発光素子１３３ａを点灯可能なオン状態となり、開閉検出器１６により蓋部１１ａが本体部１１ｂに対して開放されているときにはそのまま発光素子１３３ａを消灯し、蓋部１１ａが本体部１１ｂに対して閉鎖されているときには発光素子１３３ａを点灯させる。これにより、蓋部１１ａが開放されているときに紫外線が照射されることが防止され、操作者が紫外線を浴びることが防止される。一方、制御部は、操作部１２に対する操作がない場合、あるいは、上記オン状態でさらに操作ボタン１２ａが押圧された場合、オフ状態となる。このときには、蓋部１１ａの開閉如何に拘わらず、発光素子１３３ａは点灯しない。
【００２９】
本実施形態では、図２に示すように、蓋部１１ａを開放し、医療機器や歯科機器などの殺菌対象物Ｘを収容空間１１ｓに投入すると、殺菌対象物Ｘは下側内面部１１ｉｂ上に載置された状態となる。この状態で、蓋部１１ａを閉鎖し、操作ボタン１２ａを押圧すると、発光素子１３３ａが点灯するので、殺菌対象物Ｘに紫外線を照射することができる。発光素子１３３ａから放出された紫外線は、導光体１３１の光入射面部から入射し、前述のように導光体１３１の内部を伝搬しながら、徐々に光出射面部から出射される。本実施形態では、導光体１３１の光出射面部は上記上側内面部１１ｉａ及び下側内面部１１ｉｂを構成しているので、導光体１３１の光出射面部から出射した紫外線はそのまま殺菌対象物Ｘに照射される。殺菌対象物Ｘは、上下両側の上側内面部１１ｉａと下側内面部１１ｉｂからそれぞれ出射される紫外線を受けるため、紫外線照射時の影となる部分が少なくなる。これにより、殺菌対象物Ｘには、十分かつ効率的な殺菌処理が施される。特に、上下の内面部１１ｉａと１１ｉｂの対面方向に沿った軸線（図中では垂線）の周囲を取り巻くように構成された反射性内面部を備える上側内側面部１１ｉｃ及び下側内側面部１１ｉｄが設けられているため、周囲からも紫外線を効率的に照射することができることから、殺菌対象物Ｘにおける紫外線の非照射領域をさらに低減し、高レベルの殺菌処理を行うことができる。なお、上記の反射シート１３２や上側内側面部１１ｉｃ及び下側内側面部１１ｉｄの表面を拡散性や散乱性の反射面として構成することにより、紫外線の照射方向をさらにランダムに分散させることができるので、紫外線の非照射領域をさらに低減できる。さらに、上記反射性内面部は、装置の寸法の増大やコストの増大を招くことなく構成することができる。
【００３０】
図５は、第２実施形態の殺菌装置における導光ユニット１３Ａ，１３Ｂの構造を示す分解斜視図である。第２実施形態において、導光ユニット以外の構造については第１実施形態と同様であるので、その説明は省略する。また、図４と同様に、図５及びその説明では導光ユニット１３Ａのみについて図示し、説明を行う。第２実施形態では、導光ユニット１３Ａには、導光体１３１の光出射面部上に拡散シート１３５が配置される。この拡散シート１３５は、導光体１３１の光出射面部から出射される紫外線を透過するが、その過程で紫外線を拡散し、紫外線の照射方向を分散させる作用を果たす。拡散シート１３５としては、実質的な紫外線の透過率が高いとともに殺菌作用も高いフッ素樹脂で構成されるものが好ましい。フッ素樹脂は結晶性高分子であるため、石英などの透過特性である正透過性とは異なり、拡散透過性を呈する。
【００３１】
上記のフッ素樹脂としては、例えば、ＰＴＦＥ（ポリテトラフルオロエチレン）、ＰＦＡ（パーフルオロアルコキシアルカン）、ＦＥＰ（パーフルオロエチレンプロペンコポリマー）、ＥＴＦＥ（エチレン―テトラフルオロエチレンコポリマー）、ＰＶＤＦ（ポリフッ化ビニリデン）、ＰＣＴＦＥ（ポリクロロトリフルオロエチレン）などが挙げられる。
【００３２】
これらのフッ素樹脂の紫外線透過率は一般的に高く、フッ素樹脂を透過した紫外線の殺菌作用も高いことが確認される。例えば、紫外線透過率は、厚さ２ｍｍの石英(1)で波長２５３．７ｎｍの紫外線について９１．５％であるが、ＰＴＦＥ（商品名ナフロン）の場合、厚さ０．１ｍｍ(2)で０．１７％、厚さ０．３ｍｍ(3)で０．０９％、厚さ０．５ｍｍ(4)で０．０７％、厚さ１．０ｍｍ(5)で０．０４％となる。ただし、光に活性な菌の死滅速度係数ｋ１［ｍｉｎ―１］は、直接照射の場合は２．４であるのに対して、上記石英(1)で２．３、上記ＰＴＦＥ(2)で１．２、上記ＰＴＦＥ(3)で０．６３、上記ＰＴＦＥ(4)で０．５５、上記ＰＴＦＥ(５)で０．２５となる。また、光に不活性な菌の死滅速度係数ｋ２［ｍｉｎ―１］は、直接照射の場合は０．５７であるのに対して、上記石英(1)で０．６、上記ＰＴＦＥ(2)で０．３２、上記ＰＴＦＥ(3)で０．２２、上記ＰＴＦＥ(4)で０．１８、上記ＰＴＦＥ(5)で０．１３となる。上記のＰＴＦＥの紫外線の透過率は低いが、これは拡散透過性を有するために分光光度計ではみかけの透過率が低くなるためである。実際には紫外線に対して高い透過率を備えるともに、それに対応する高い殺菌作用を奏すると考えられる。また、９９％などの高殺菌率を得るのに必要な時間は、フッ化樹脂の方が石英よりも高くなることが知られており、これは、フッ素樹脂の拡散透過性による有利な効果と考えられる。
【００３３】
フッ素樹脂（フィルム）からなる拡散シート１３５を用いることにより、上述のように殺菌作用を確保しつつ、導光体１３１の表面における損傷や汚れの付着の防止を図ることができる。また、フッ素樹脂そのものも柔軟性や低摩擦性があるために、損傷を受けにくく、汚れも付着しにくい。したがって、拡散シート１３５を特に下側の導光ユニット１３Ｂの下側内面部１１ｉｂに配置することにより、殺菌対象物Ｘに接触することによる損傷や汚れの付着を回避できる。また、拡散シート１３５を導光体１３１の光出射面上から着脱可能に構成することにより、拡散シート１３５そのものに汚れの付着などの支障が生じた場合でも、容易に交換することができる。特に、フッ素樹脂には、上記の非粘着性・撥水性や低摩擦性に加えて、耐候性、耐熱性、電気絶縁性、耐薬品性が高いという特性をも有するので、医療器具や歯科器具に対する適応性が高い。なお、拡散シート１３５としては、上記フッ素樹脂以外に、内部や表面に光散乱性粒子を分散させた樹脂フィルムを用いてもよい。
【００３４】
図６には、上記拡散シート１３５の取付枠１３６を示す。導光体１３１の光出射面部上に拡散シート１３５を配置し、拡散シート１３５の外周縁１３５ａに沿った形状を有する取付枠１３６を、拡散シート１３５の外周縁１３５ａ上に配置した上で、上記被覆部材１４Ａ、１４Ｂを導光ユニット１３Ａ，１３Ｂに取り付ける。これによって、被覆部材１４Ａ，１４Ｂの内周縁が取付枠１３６上に配置され、拡散シート１３５及び取付枠１３６が導光体１３１と被覆部材１４Ａ，１４Ｂとの間に挟持され、固定される。このようにすると、被覆部材１４Ａ，１４Ｂを導光ユニット１３Ａ，１３Ｂに対して着脱するだけで、拡散シート１３５を容易に着脱できる。なお、上記構造とは異なり、取付枠１３６を介在することなく、拡散シート１３５を導光体１３１と被覆部材１４Ａ，１４Ｂとの間に挟持してもよく、或いは、被覆部材１４Ａ，１４Ｂを導光ユニット１３Ａ，１３Ｂに装着した後に、拡散シート１３５を露出した導光体１３１の光出射面上に配置し、その上から取付枠１３６を被覆部材１４Ａ，１４Ｂの上側内側面部１１ｉｃ、１１ｉｄの内側にはめ込むように構成して、取付枠１３６のはめ込み抵抗により拡散シート１３５を保持するようにしてもよい。また、取付枠１３６の図示下面を粘着面とし、当該粘着面により拡散シート１３５及び導光体１３１の主面１３１ｅに付着させてもよい。このとき、上記粘着面を剥離可能なものとすることが望ましい。
【００３５】
図７は、第３実施形態の殺菌装置における導光ユニット１３Ａ，１３Ｂの構造を示す分解斜視図である。第３実施形態において、導光ユニット以外の構造については第１実施形態と同様であるので、その説明は省略する。また、図４と同様に、図７及びその説明では導光ユニット１３Ａのみについて図示し、説明を行う。第３実施形態では、導光ユニット１３Ａには、導光体１３１の光入射面部に対向する位置に、可視光を放出する可視光源となる発光素子１３７ａを備えた可視光源基板１３７が配置される。発光素子１３７ａは、上記発光素子１３３ａとは異なり、人体に有害な程度の紫外線を放出しないものが好ましい。また、発光素子１３７ａは、青色光を主として放出するものであること、すなわち、点灯時に放出光が青色に見えるものであることが望ましい。
【００３６】
発光素子１３７ａは、発光素子１３３ａが対面する導光体１３１の光入射面部（第１の端面１３１ａ）に対面している。好ましくは、発光素子１３７ａは発光素子１３３ａの間に配置される。図示例では、３つの発光素子１３３ａの間に２つの発光素子１３７ａが配置され、発光素子１３３ａと１３７ａが交互に上記光入射面に沿って一列に配列される。発光素子１３７ａから放出された可視光（青色光）は、発光素子１３３ａから放出された紫外線と同様に、導光体１３１の内部に入射して伝搬し、その光出射面部から出射する。なお、ここで、導光体１３１、反射シート１３２、拡散シート１３５等は、紫外線に対する透過性や反射性とともに、可視光に対する透過性や反射性を備えるものを用いる。
【００３７】
この第３実施形態においては、上記制御部は、上記可視光源基板１３７にも接続される。上記制御部は、上記操作ボタン１２ａに対する操作により上記オン状態にあるときには、蓋部１１ａの開放時において、発光素子１３７ａを点灯し、発光素子１３３ａを消灯する。また、上記オン状態にあるときには、蓋部１１ａの閉鎖時において、発光素子１３７ａを消灯し、発光素子１３３ａを点灯する。一方、操作ボタン１２ａによりオフ状態にあるときには、蓋部１１ａの開閉いずれにおいても発光素子１３３ａ、１３７ａのいずれもが消灯される。これにより、オン状態では、蓋部１１ａが開放されたときには可視光が照射されるとともに紫外線は照射されないため、操作者などが紫外線を浴びることが防止されると同時に操作者に装置が作動状態であることを知らせることができる。これに対して、蓋部１１ａが閉鎖されると、紫外線が照射されて殺菌処理が行われる。この蓋部１１ａの閉鎖時において、可視光は照射されないようにすれば無駄な電力消費を抑制できるが、これを考慮する必要がなければ、発光素子１３７ａを点灯したままとしてもよい。
【００３８】
次に、図８〜図１０を参照して、本発明に係る第４実施形態について説明する。第４実施形態では、筐体２１に蓋部２１ａと本体部２１ｂを有し、蓋部２１ａを本体部２１ｂに対して開閉可能とするヒンジ部２１ｃを備え、蓋部２１ａを開放したときに外部と連通する収容空間２１ｓを具備する点で第１実施形態と同様である。ただし、この第４実施形態では、本体部２１ｂが筒状（図示例では円筒状、以下同様。）に構成され、その内部に形成される収容空間２１ｓが垂直な軸線を備える柱状（図示例では円柱状、以下同様。）に形成されている点で、第１実施形態と異なる。
【００３９】
図９に示すように、本体部２１ｂの内部には、筒状の導光体２３１が収容され、この導光体２３１の外周面２３１ｃ上に反射シート２３２が筒状に配置される。導光体２３１には、光入射面部となる一方（下方）の端面２３１ａと、この端面２３１ａに対向する他方（上方）の端面２３１ｂと、上記外周面２３１ｃと、外周面２３１ｃと対向する内周面２３１ｄとを有する。ここで、内周面２３１ｄは光出射面部を構成する。導光体２３１の下方には、上記端面２３１ａと対面する紫外線の光放出部を備える発光素子２３３ａを実装した光源基板２３３が配置される。ここで、発光素子２３３ａは導光体２３１の軸線周りに等角度間隔で配置されることが好ましい。図示例では、上記軸線の周りに１２０度間隔で３つの発光素子２３３ａが配置される。
【００４０】
光源基板１３３は、主回路基板２５上に実装される。また、導光体２３１の上記端面２３１ａよりも内側の開口領域は底板２４によって閉鎖される。底板２４の少なくとも内面は、蓋部２１ａの内面とともに、前述の紫外線を反射する素材で構成される反射内面部となっている。光源基板２３３、底板２４及び主回路基板２５は、底壁部２１ｄ及びカバー部２１ｅによって覆われる。筐体２１やカバー部２１ｅには、図示しないが、第１実施形態の操作部１２と同様の操作部を設ける。また、上記主回路基板２５上には、第１実施形態と同様の制御部が構成される。
【００４１】
第４実施形態では、筒状の導光体２３１の内周面２３１ｄから紫外線が照射されるため、導光体２３１の軸線（垂線）の周りの全方位から殺菌対象物Ｘに向けて紫外線が照射される。すなわち、本実施形態では、当該軸線の周りの全ての方位についてそれぞれ両側に光出射面部が配置される。したがって、殺菌対象物Ｘに対して紫外線をさらに影なく全面的に照射することができる。この場合、当該軸線に沿った両側にそれぞれ、蓋部２１ａの内面と底板２４の内面に形成された反射内面部が設けられるため、さらに殺菌対象物Ｘに対する紫外線の照射を全方位的に行うことができる。
【００４２】
本実施形態では、第２実施形態の拡散シート１３５と同様の拡散シートを導光体２３１の内周面２３１ｄ上に配置することが好ましい。この場合、拡散シートは、第２実施形態と同様に、リング状の取付枠などを導光体２３１の内側に嵌合させたり貼り付けたりするなどの方法で着脱可能に保持することが望ましい。また、本実施形態では、第３実施形態の可視発光素子２３７ａと同様の可視発光素子を設けることが好ましい。この場合、可視発光素子は、発光素子２３３ａと同様に光入射面部である端面２３３ａに対面する光放出部を備えることが望ましい。例えば、発光素子２３３ａの間に可視発光素子が配置されるように、可視光源基板を配置すればよい。このときの可視発光素子の制御態様は第３実施形態と同様である。
【００４３】
なお、本発明の方法及び装置は、上述の図示例のみに限定されるものではなく、本発明の要旨を逸脱しない範囲内において種々変更を加え得ることは勿論である。例えば、上記各実施形態はそれぞれに特徴的な構成を備えるが、各構成は、相互に支障がない限り、併用したり、置換したりすることができる。例えば、上記第２実施形態と第３実施形態の特徴的構成を共に備える実施形態を形成してもよく、また、第１実施形態〜第３実施形態の導光体の形状以外の構成を、支障のない限り、それぞれ単独で、或いは、適宜の組み合わせで、第４実施形態に適用しても構わない。
【符号の説明】
【００４４】
１０，２０…殺菌装置、１１，２１…筐体、１１ａ，２１ａ…蓋部、１１ｂ，２１ｂ…本体部、１１ｃ，２１ｃ…ヒンジ部、１１ｓ，２１ｓ…収容空間、１１ｓａ…上側空間部、１１ｓｂ…下側空間部、１１ｉａ…上側内面部、１１ｉｂ…下側内面部、１１ｉｃ…上側内側面部、１１ｉｄ…下側内側面部、１１ｉｅ…上側開口縁部、１１ｉｆ…下側開口縁部、１１ｉｏ…検出口、１１ｉｐ…被検出部、１２…操作部、１２ａ…操作ボタン、１２ｂ…表示灯、１２ｃ…操作部の回路基板、１３Ａ，１３Ｂ…導光ユニット、１４Ａ，１４Ｂ…被覆部材、２４…底板、１５，２５…主回路基板、１６…開閉検出器、１３１，２３１…導光体、１３２，２３２…反射シート、１３３，２３３…光源基板、１３３ａ，２３３ａ…紫外線の発光素子、１３４…ユニット枠、１３５…拡散シート、１３６…取付枠、１３７…可視光源基板、１３７ａ…発光素子
【図１】
2020014498.tif 000003
【図２】
2020014498.tif 000004
【図３】
2020014498.tif 000005
【図４】
2020014498.tif 000006
【図５】
2020014498.tif 000007
【図６】
2020014498.tif 000008
【図７】
2020014498.tif 000009
【図８】
2020014498.tif 000010
【図９】
2020014498.tif 000011
【図１０】
2020014498.tif 000012